(57)【要約】【課題】流れ込んだ水による旋回流が発生し易いヘアキャッチャーを提供する。【解決手段】ヘアキャッチャー１００は、水を通流させる水切り部１を備える。水切り部１は、底部２０と底部２０を囲む側面部２２とで形成される貯水部２、および上縁部１０から延びて側面部２２に接続される導水面６を有する。導水面６および側面部２２の接続部分Ｔにおける導水面６と側面部２２側の内側面２２ａの勾配が同じである。【選択図】図４
2020165164.tif 000002
【特許請求の範囲】
【請求項１】
水を通流させる水切り部を備えるヘアキャッチャーであって、
前記水切り部は、底部と前記底部を囲む側面部とで形成される貯水部、および上縁部から延びて前記側面部に接続される導水面を有し、
前記導水面および前記側面部の接続部分における前記導水面と前記側面部側の内側面の勾配が同じであることを特徴とするヘアキャッチャー。
【請求項２】
前記導水面および前記内側面の勾配が一定であることを特徴とする請求項１に記載のヘアキャッチャー。
【請求項３】
前記導水面および前記内側面は、前記上縁部から前記底部にかけて内側に対して凹状に湾曲していることを特徴とする請求項１に記載のヘアキャッチャー。
【請求項４】
前記導水面および前記内側面は、前記上縁部から前記底部にかけて内側に対して凸状に湾曲していることを特徴とする請求項１に記載のヘアキャッチャー。
【請求項５】
前記導水面は、前記水切り部の内側に発生する旋回流の旋回方向に、前記上縁部から延びるように形成されていることを特徴とする請求項１から４のいずれか１項に記載のヘアキャッチャー。
【発明の詳細な説明】
【技術分野】
【０００１】
本発明は、例えば浴室における洗い場床の排水部に配設されるヘアキャッチャーに関する。
【背景技術】
【０００２】
浴室の洗い場床や洗面台等の排水口には、髪の毛やゴミなどで排水管が詰まることを防ぐためにヘアキャッチャーが設けられている。例えば、特許文献１には、流入した排水を保水する凹状の保水部と、保水部の上部から延出し、排水中の髪の毛の流出を抑止しながら保水部に入りきらない排水を流出させる上部排水流出部と、洗い場床からの排水を保水部へ導く排水導入部とを備えるヘアキャッチャーが開示されている。
【先行技術文献】
【特許文献】
【０００３】
【特許文献１】特開２０１１−１６３１１６号公報
【発明の概要】
【発明が解決しようとする課題】
【０００４】
特許文献１に記載のヘアキャッチャーは、排水導入部から保水部へ水を流して旋回流を発生させるが、排水導入部における勾配と保水部の内側面の勾配とで差異がある。このため、保水部へ水が流れ込む際に方向が変化し、旋回流に乱れが生じてしまう蓋然性があった。
【０００５】
本発明は、斯かる事情に鑑みてなされたものであり、その目的とするところは、流れ込んだ水による旋回流が発生し易いヘアキャッチャーを提供することにある。
【課題を解決するための手段】
【０００６】
本発明に係るヘアキャッチャーは、水を通流させる水切り部を備えるヘアキャッチャーであって、前記水切り部は、底部と前記底部を囲む側面部とで形成される貯水部、および上縁部から延びて前記側面部に接続される導水面を有し、前記導水面および前記側面部の接続部分における前記導水面と前記側面部側の内側面の勾配が同じであることを特徴とする。
【発明の効果】
【０００７】
本発明によれば、流れ込んだ水による旋回流が発生し易い。
【図面の簡単な説明】
【０００８】
【図１】実施形態に係るヘアキャッチャーの外観を示す斜視図である。
【図２】ヘアキャッチャーの側面図である。
【図３】ヘアキャッチャーの平面図である。
【図４】図３に示すＡ−Ａ線によるヘアキャッチャーの断面図である。
【図５】変形例に係るヘアキャッチャーの平面図である。
【図６】図６（ａ）および図６（ｂ）は、別の変形例に係るヘアキャッチャーの図４に相当する断面図である。
【発明を実施するための形態】
【０００９】
以下、本発明を好適な実施の形態をもとに図１から図６を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態）
図１、図２を参照する。ヘアキャッチャー１００は、水切り部１および立壁部５を備える。水切り部１は、上縁部１０、リブ構造３、通流孔４、貯水部２および導水面６を有し、椀状に形成されている。水切り部１は、例えば皿状および深皿状等に形成されていてもよく、全体として円柱状、錐台状または半球状などの様々な形状とすることができる。
【００１１】
ヘアキャッチャー１００は、図２に示すように洗い場床８に設けられた排水口８１に設置され、上方を蓋体８２で覆われる。図２に示す例では、洗い場床８の孔部に取り付けられたフランジ部８０の内側面に爪８１ａが設けられており、上縁部１０に設けた係止部１０ａを爪８１ａに係止させて、ヘアキャッチャー１００を取り付けている。洗い場床８からの水は、立壁部５によって規制されて水切り部１へ流れ込む。尚、図２において、洗い場床８、排水口８１および蓋体８２は断面で表されている。
【００１２】
上縁部１０は円環状であり、リブ構造３によって貯水部２と接続される。洗い場床８からの水は上縁部１０を通って水切り部１の内側に流れ込む。リブ構造３は、複数の縦リブ３１および複数の横リブ３２を有し、上縁部１０と貯水部２とを接続する。縦リブ３１は貯水部２から上縁部１０へ放射状に延びており、上縁部１０から水切り部１の中央へ向かうにつれて下降する勾配を有している。縦リブ３１の勾配は、一定であっても変化してもよい。
【００１３】
図３を参照する。横リブ３２は、複数の縦リブ３１を周方向につなぐ円環状であり、貯水部２側から上方へ向かうにつれて内径が大きくなる。隣り合う縦リブ３１および隣り合う横リブ３２の間に通流孔４が形成されている。
【００１４】
通流孔４は、水切り部１の内外を貫通するように設けられている。通流孔４には、水切り部１の内側における開口部４１の一部を覆うように排水抵抗部４２が形成されている。排水抵抗部４２は、開口部４１の縦リブ３１における縁部４１ａよりも、周方向において通流孔４の中央へ張り出すように設けられている。
【００１５】
排水抵抗部４２は、通流孔４内に臨み、外部水流を水切り部１の内側に誘導する外部水流誘導面４２ａを有する。外部水流誘導面４２ａは、水切り部１の内側から外側に向かうにつれて外部水流の上流側へ延びるように傾斜する面として形成されており、水切り部１の外側で流れる外部水流を水切り部１の内側に引き込む。尚、排水抵抗部４２は、外部水流誘導面４２ａを有しない構成であってもよい。
【００１６】
排水抵抗部４２は、上縁部１０と貯水部２との間に形成される通流孔４の全てに設けられている。例えば、排水抵抗部４２は、上縁部１０に連なる上部に形成される通流孔４に設けられ、貯水部２側に近い通流孔４には設けないような構成としてもよい。また排水抵抗部４２は、水切り部１において設けられていなくてもよい。
【００１７】
貯水部２は、底部２０、水抜き孔２１および底部２０を囲む側面部２２を有し、椀状に形成されている。貯水部２は、例えば皿状および深皿状等に形成されていてもよく、全体として円柱状、錐台状または半球状などの様々な形状とすることができる。水抜き孔２１は、貯水部２における側面部２２の下端部に横方向に内外を貫通するように設けられている。
【００１８】
立壁部５は、上縁部１０から立ち上がるように上縁部１０に沿って円弧状に形成されており、２つの回転対象な第１立壁部５０および第２立壁部５５で構成されている。第１立壁部５０の導入端部５１および第２立壁部の終端部５７は、間隔を空けて対向しており、両者間に洗い場床８からの導水路が形成される。同様に、第２立壁部５５の導入端部５６および第１立壁部の終端部５２は、間隔を空けて対向しており、両者の間に洗い場床８からの導水路が形成される。
【００１９】
立壁部５における導入端部５１および５６は、水切り部１の内側へ延びるように設けられている。導入端部５１および５６は、水切り部１の下方向に向かうにつれて、周方向の一側へ延びるように傾斜している。導入端部５１および５６は、水切り部１の下方向に向かうにつれて、上方から見て時計まわりの方向へ延びるように傾斜している。
【００２０】
立壁部５における導入端部５１と終端部５７との間において、上縁部１０から貯水部２へ延びる導水面６が形成されている。また同様に導入端部５６と終端部５２との間において、上縁部１０から貯水部２へ延びる導水面６が形成されている。導水面６は、下方向に向かうにつれて、周方向の一側へ延びるように傾斜している。導水面６は、導入端部５１および５６と同様に、水切り部１の下方向に向かうにつれて、上方から見て時計まわり方向へ延びるように傾斜している。尚、図３に示す水切り部１では導水面６に通流孔４が設けられていないが、疎らに通流孔４を設けるようにしてもよい。
【００２１】
導水面６は、立壁部５において発生させる旋回流の旋回方向へ向かって延びるように設けられている。したがって、ヘアキャッチャー１００に立壁部５が設けられておらず、ヘアキャッチャー１００の上縁部１０に至るまでに、流れ込む水に旋回流を発生させるような場合にも、導水面６は、該旋回流の旋回方向へ向かって延びるように設けるとよい。例えば、図２に示した蓋体８２の裏側やフランジ部８０等に流れの方向を規制する部分を設け、ヘアキャッチャー１００に流れ込む水に方向性を与えて旋回流が発生するようにできる。
【００２２】
図４を参照する。導水面６は、上縁部１０から貯水部２へ延びて側面部２２の上端部である接続部分Ｔで側面部２２の内側面２２ａに接続される。側面部２２の内側面２２ａのうち接続部分Ｔの直下部分である内側面２２ａの上部２２ｂの勾配は、接続部分Ｔの直上部分である導水面６の下部６２の勾配と同じとしてある。これは、接続部分Ｔに上側から近づいたときの勾配と下側から近づいたときの勾配が同じであるという意味である。
【００２３】
本実施形態では、導水面６および内側面２２ａは、上縁部１０から底部２０にかけて下方に向かう勾配が一定であり、図４に示すように断面に現れる内側面の交線Ｍは直線となっている。
【００２４】
次に実施形態に係るヘアキャッチャー１００の動作について説明する。ヘアキャッチャー１００の上縁部１０から水切り部１の上部に流れ込んだ水は、導水面６に沿ってヘアキャッチャー１００の内側を流下し、図３に矢印で示すように旋回流を発生する。水切り部１の内側を流下する水は、その一部が図３に矢印Ｑ１で示すように通流孔４を通して水切り部１の外側に排水される。水切り部１の内側を流下する水は、通流孔４に設けられた排水抵抗部４２によって排水が制限されるため、矢印Ｑ２で示すように水切り部１の内側に留まって流下することで、旋回流が発生し易くなる。
【００２５】
排水抵抗部４２は、通流孔４の開口部４１のうち、水が流れ込む方向の先にある縦リブ３１における縁部４１ａの側において、周方向に通流孔４の中央へ張り出すように設けられている。このため、水切り部１の内側を流下する水が排水抵抗部４２に当たって水切り部１の内側に戻され易くなる。
【００２６】
導水面６は、下降するにつれて旋回流の旋回方向へ延びていることから旋回流が発生し易くなる。図４に示すように接続部分Ｔの直下部分である内側面２２ａの上部２２ｂの勾配は、接続部分Ｔの直上部分である導水面６の下部６２の勾配と同じであり、水流がスムーズに導水面６から貯水部２へ流れるので旋回流が発生し易くなる。また、本実施形態では、導水面６および内側面２２ａは、上縁部１０から底部２０にかけて下方に向かう勾配が一定であり、上縁部１０から底部２０にかけて水流の乱れが抑制され、髪の毛等がスムーズに貯水部２へ運ばれる。
【００２７】
ヘアキャッチャー１００は、水切り部１の内側において旋回流が発生することで、髪の毛等を貯水部２にまとめ、清掃が容易になる。貯水部２には、水抜き孔２１が設けられている。旋回流発生時には水の一部が水抜き孔２１から抜けつつも貯水部２に水が貯まった状態となり、水の流れ込みが止んだ後、貯水部２に貯まった水が時間経過とともに水抜き孔２１から排水される。
【００２８】
（変形例）
図５を参照する。この変形例に係るヘアキャッチャー１００は、導水面６が上縁部１０から直下方向へ延びて貯水部２へ接続される。導水面６を通って流下した水は、例えば貯水部２において底部２０を通過した後、貯水部２の側面部２２で上昇し、水平軸まわりに旋回して戻るような水流となる。
【００２９】
導水面６と貯水部２の下方に向かう勾配は、上述の実施形態において図４に基づき説明した勾配と同様に一定であり、水が導水面６から貯水部２へとスムーズに流れ落ち、上述のように旋回する水流が発生し易くなる。
【００３０】
図６（ａ）および図６（ｂ）を参照する。図６（ａ）に示すヘアキャッチャー１００は、接続部分Ｔの直下の内側面２２ａにおける下方に向かう勾配は、接続部分Ｔの直上の導水面６における下方に向かう勾配と同じとしてある。上述の実施形態と同様に、接続部分Ｔに上側から近づいたときの勾配と下側から近づいたときの勾配が同じであるという意味である。
【００３１】
導水面６および側面部２２の内側面２２ａは、交線Ｍで示すように、上縁部１０から底部２０にかけて内側に対して凹状に湾曲している。導水面６および内側面２２ａは、接続部分Ｔにおいて屈曲することなく滑らかに接続されており、水流の乱れが抑制され、髪の毛等がスムーズに貯水部２へ運ばれる。
【００３２】
図６（ｂ）に示すヘアキャッチャー１００も、接続部分Ｔの直下の内側面２２ａにおける下方に向かう勾配は、接続部分Ｔの直上の導水面６における下方に向かう勾配と同じとしてある。導水面６および側面部２２の内側面２２ａは、交線Ｍで示すように、上縁部１０から底部２０にかけて内側に対して凹状に湾曲している。導水面６および内側面２２ａは、接続部分Ｔにおいて屈曲することなく滑らかに接続されており、水流の乱れが抑制され、髪の毛等がスムーズに貯水部２へ運ばれる。
【００３３】
次に、実施形態および変形例のヘアキャッチャー１００の特徴を説明する。
本発明の各実施形態および変形例のヘアキャッチャー１００は、水を通流させる水切り部１を備える。水切り部１は、底部２０と底部２０を囲む側面部２２とで形成される貯水部２、および上縁部１０から延びて側面部２２に接続される導水面６を有する。導水面６および側面部２２の接続部分Ｔにおける導水面６と側面部２２側の内側面２２ａの勾配が同じである。これにより、ヘアキャッチャー１００は、流れ込んだ水による旋回流が発生し易くなる。
【００３４】
また導水面６および内側面２２ａの勾配が一定である。これにより、ヘアキャッチャー１００は、水流の乱れが抑制され、髪の毛等がスムーズに貯水部２へ運ばれる。
【００３５】
また導水面６および内側面２２ａは、上縁部１０から底部２０にかけて内側に対して凹状に湾曲している。これにより、ヘアキャッチャー１００は、水流の乱れが抑制され、髪の毛等がスムーズに貯水部２へ運ばれる。
【００３６】
また導水面６および内側面２２ａは、上縁部１０から底部２０にかけて内側に対して凸状に湾曲している。これにより、ヘアキャッチャー１００は、水流の乱れが抑制され、髪の毛等がスムーズに貯水部２へ運ばれる。
【００３７】
また導水面６は、水切り部１の内側に発生する旋回流の旋回方向に、上縁部１０から延びるように形成されている。これにより、ヘアキャッチャー１００は、旋回流が発生し易くなる。
【００３８】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３９】
１  水切り部、  １０  上縁部、  ２  貯水部、  ２０  底部、  ２２  側面部、
２２ａ  内側面、  ６  導水面、  １００  ヘアキャッチャー。
【図１】
2020165164.tif 000003
【図２】
2020165164.tif 000004
【図３】
2020165164.tif 000005
【図４】
2020165164.tif 000006
【図５】
2020165164.tif 000007
【図６】
2020165164.tif 000008